(57)【要約】【課題】集水方向の傾斜面と、集めた水を一定方向に流し込む排水方向の傾斜面の双方を一度に形成する事のできる屋上側溝の形成工法を提供する。【解決手段】Ｖ字状の断面を有する側溝１６を形成する工法であって、弾性部材により構成された溝両端レベル部材１８を側溝１６の溝幅に合わせて配置する工程と、対を成す溝両端レベル部材１８の間に、溝両端レベル部材１８の配置方向に沿って、かつ溝両端レベル部材１８よりも高さを低く構成された溝底レベル部材２０を配置する工程と、溝両端レベル部材１８、及び溝底レベル部材２０の天端高さに合わせてコンクリート１４に傾斜をつけて打設する工程と、を有し、少なくとも溝底レベル部材２０は、排水方向に向けて前記天端の高さが低くなるように、天端に傾斜が設けられていることを特徴とする。【選択図】図１
2018096058.tif 000002
【特許請求の範囲】
【請求項１】
建物の屋上防水上に保護コンクリート仕上げする際にＶ字状の断面を有する側溝を形成する工法であって、
弾性部材により構成された溝両端レベル部材を前記側溝の溝幅に合わせて配置する工程と、
対を成す前記溝両端レベル部材の間に、前記溝両端レベル部材の配置方向に沿って、かつ前記溝両端レベル部材よりも高さを低く構成された溝底レベル部材を配置する工程と、
前記溝両端レベル部材、及び前記溝底レベル部材の天端高さに合わせてコンクリートに傾斜をつけて打設する工程と、を有し、
少なくとも前記溝底レベル部材は、排水方向に向けて前記天端の高さが低くなるように、天端に傾斜が設けられていることを特徴とする屋上側溝の形成工法。
【請求項２】
前記溝両端レベル部材と、前記溝底レベル部材とを同じ素材により構成することを特徴とする請求項１に記載の屋上側溝の形成工法。
【請求項３】
前記溝両端レベル部材、及び前記溝底レベル部材には、その天端に、耐水性のキャップが設けられることを特徴とする請求項１または２に記載の屋上側溝の形成工法。
【発明の詳細な説明】
【技術分野】
【０００１】
本発明は、排水を誘導する側溝の形成工法に係り、特に、建物の屋上の防水保護コンクリート仕上げ時に形成される側溝の形成工法に関する。
【背景技術】
【０００２】
従来、屋上側溝の施工は、防水層及び断熱層を施工後、側溝部分に止め型枠を組み立て、側溝部分を残して押えコンクリートを打設し、その後にモルタルにより側溝の勾配を形成したり、側溝配置部分に既製品の勾配側溝を配置するという工法が採られていた。
【０００３】
しかし、従来技術に挙げた工法では、側溝に対してモルタルで勾配を形成する方法では、工程数が多く手間もかかることとなるといった問題がある。また、既製品の側溝を使用する場合には、その重量や大きさ等が問題となる。
【０００４】
このような問題に対し、建物屋上における排水溝の形成を、防水保護コンクリート打設時に同じ材料で同時に行う工法が、特許文献１に開示されている。特許文献１によれば、弾性目地部材により一対の溝壁を構成すると共に、この溝壁に硬質のキャップ部材をかぶせ、この溝壁間に、溝壁と同じ性質の部材により構成されるレベル出し部材を複数配置する。そして、レベル出し部材の高さに合わせて溝壁間の底に傾斜を形成する事で、コンクリート打設と共に排水溝の形成を行う事を可能としている。
【先行技術文献】
【特許文献】
【０００５】
【特許文献１】特開２００８−２２３２９８号公報
【発明の概要】
【発明が解決しようとする課題】
【０００６】
特許文献１に開示されているような工法であれば確かに、コンクリート打設と共に底面に傾斜を有する排水溝を形成する事ができると考えられる。しかし、特許文献１に開示されている工法は、コンクリートの打設面に対して、レベル出し部材の高さに合わせた僅かな傾斜を施すものである。このため、Ｖ字状の側溝を形成し、かつこの側溝に水の流れ方向に向けた傾斜を設けるような２つの方向に向けた傾斜面を構成する事はできない。
【０００７】
本発明では、上記課題を解決し、集水方向の傾斜面と、集めた水を一定方向に流し込む排水方向の傾斜面の双方を一度に形成する事のできる屋上側溝の形成工法を提供することを目的とする。
【課題を解決するための手段】
【０００８】
上記目的を達成するための本発明に係る屋上側溝の形成工法は、建物の屋上防水上に保護コンクリート仕上げする際にＶ字状の断面を有する側溝を形成する工法である。具体的には、弾性部材により構成された溝両端レベル部材を前記側溝の溝幅に合わせて配置する工程と、対を成す前記溝両端レベル部材の間に、前記溝両端レベル部材の配置方向に沿って、かつ前記溝両端レベル部材よりも高さを低く構成された溝底レベル部材を配置する工程と、前記溝両端レベル部材、及び前記溝底レベル部材の天端高さに合わせてコンクリートに傾斜をつけて打設する工程と、を有し、少なくとも前記溝底レベル部材は、排水方向に向けて前記天端の高さが低くなるように、天端に傾斜が設けられていることを特徴とする。
【０００９】
また、上記のような特徴を有する屋上側溝の形成工法では、前記溝両端レベル部材と、前記溝底レベル部材とを同じ素材により構成する。このような特徴を有する事により、資材管理の負担が軽減すると共に、個別材料の仕入れ負担が軽減する事より、工事費用の削減を図る事ができる。
【００１０】
また、上記のような特徴を有する屋上側溝の形成工法では、前記溝両端レベル部材、及び前記溝底レベル部材には、その天端に、耐水性のキャップを設けると、弾性部材により構成される溝両端レベル部材と溝底レベル部材との耐久性を高める事ができ、メンテナンススパンを長くする事ができる。
【発明の効果】
【００１１】
上記のような特徴を有する屋上側溝の形成工法によれば、集水方向の傾斜面と、集めた水を一定方向に流し込む排水方向の傾斜面の双方を一度に形成する事ができる。よって、材料費、及び工程数、双方の軽減を図る事ができる。
【図面の簡単な説明】
【００１２】
【図１】実施形態に係る屋上側溝の形成工法により形成される側溝の一例を示す断面図である。
【図２】実施形態に係る屋上側溝の形成工法に使用する伸縮目地の構成例を示す断面図である。
【図３】屋上側溝の形成工法を実施する上での溝両端レベル部材と溝底レベル部材の配置形態を示す平面図である。
【図４】図３におけるＡ−Ａ端面とＢ−Ｂ端面を示す図である。
【図５】溝底レベル部材の側面形状を示す図である。
【図６】防水層、断熱層を施工した状態の屋上フロアの構成を示す断面図である。
【図７】防水層、断熱層を施工した状態の屋上フロアに、溝両端レベル部材、溝底レベル部材、及び鉄筋を配置した状態を示す断面図である。
【図８】屋上防水保護コンクリートの打設と同時に、溝両端レベル部材、溝底レベル部材の高さ位置に合わせた傾斜面を持つ側溝を形成した状態を示す断面図である。
【発明を実施するための形態】
【００１３】
以下、本発明の屋上側溝の形成工法に係る実施の形態について、図面を参照して詳細に説明する。
本実施形態に係る屋上側溝の形成工法による側溝は、図１に示すように、防水層１０、及び断熱層１２を施工した後、屋上防水保護コンクリート（以下、単にコンクリート１４と称す）を打設する工程において、側溝１６がコンクリート１４の打設と共に同時形成される。なお、図１は屋上の防水保護を行う上での基本的施工例を示すものであり、コンクリート１４の施工前に、防水層１０と断熱層１２以外の層を付加しているとしても、本発明に係る屋上側溝の形成工法の実施を妨げるものでは無い。また当然に、防水層１０や断熱層１２等の各層の施工順序を入れ替えた場合であっても、本発明を実施する上での影響は無いし、断熱の工法の種類によっても影響を受けるものでは無い。
【００１４】
側溝１６の形成は、まず、伸縮目地によるレベル決めが行われる。伸縮目地とは、例えば発泡スチロールや発泡ポリエチレン、発泡ウレタン等の弾性部材により構成される部材である。また、本実施形態におけるレベル決めとは、側溝１６を構成する溝端部の高さと、溝底部の高さ、及びその傾きを決める作業である。打設されるコンクリート１４は、レベル決めされた伸縮目地の高さを基準として傾斜形成が行われる。このため、伸縮目地は、溝の形状や傾斜に併せて高さが定められる。
【００１５】
本実施形態では、主として、伸縮目地を溝両端レベル部材１８と、溝底レベル部材２０とに分けて、形成、配置を行う。本実施形態では、断面形状がＶ字状となる側溝１６を形成する。溝両端レベル部材１８は、Ｖ字状の側溝１６の幅を定める要素である。
【００１６】
［溝両端レベル部材の説明］
溝両端レベル部材１８の具体的形状については限定するものでは無いが、例えば図２に示すように、台座１８ａと、本体１８ｂ、及びキャップ１８ｃとにより構成されるような、汎用性のあるものを採用する。ここで、台座１８ａと本体１８ｂは、図２に示すような一体形成されたものであっても、別体として形成されたものであっても良いが、少なくとも本体１８ｂについては、上述した弾性部材により構成されているものとする。また、キャップ１８ｃは、必須要素では無いが、耐水性、耐候性を備えた軟質樹脂等により構成されたものである。このような特性を備えたキャップ１８ｃを本体１８ｂに装着する事で、伸縮目地の耐久性を高める事ができる。また、台座１８ａの底面は、保護シート１９ｂが貼付されたのり面１９ａとされており、保護シート１９ｂを剥がす事により、配置面への固定が成される。なお、底面にのりが施されていない場合には、モルタル等、他の固定手段により溝両端レベル部材１８を配置面へ固定することとなる。
【００１７】
［溝底レベル部材の説明］
溝底レベル部材２０の具体的形状も、溝両端レベル部材１８と同様に、特に限定するものでは無いが、基本的には、溝両端レベル部材１８と同じものとする。すなわち、台座２０ａと、本体２０ｂ、及びキャップ２０ｃといった構成である。このように、溝底レベル部材２０と溝両端レベル部材１８とを共通部材（同一素材）により構成する事で、資材点数を減らす事ができ、資材管理の負担軽減、及び工事費用の削減を図る事ができる。
【００１８】
また、本実施形態の場合、溝底レベル部材２０は、図３から図５にかけて示すように、その長手方向にかけて、天端の高さが異なるように、本体２０ｂを構成する弾性部材に傾斜が設けられている。天端高さが低い方を排水方向として溝底レベル部材２０を配置する事で、形成される側溝１６には、集水するためのＶ字状の側面傾斜と共に、排水側へ向けて溝が深くなる排水傾斜も形成されることとなる。よって、側溝１６に流れ込んだ水を排水側へスムーズに流し込む事が可能となる。なお、図面において、図３は、配置状態にある溝両端レベル部材１８と溝底レベル部材２０を平面視した様子を示す平面図である。図３中において、溝両端レベル部材１８は、形成を予定する側溝１６の幅に合わせ、対を成すように配置されており、溝底レベル部材２０は、対を成す溝両端レベル部材１８の中心位置に、溝両端レベル部材１８と並行になるように配置されている。また、図３中に白抜き矢印で排水方向を示すように、図中上側が上流、下側が下流に位置することとなる。
【００１９】
図４は、図３におけるＡ−Ａ端面とＢ−Ｂ端面をそれぞれ示す図である。排水の上流側に位置するＡ−Ａ端面（図中（Ａ））の溝底レベル部材２０の高さｈ１と、下流側に位置するＢ−Ｂ端面（図中（Ｂ））の溝底レベル部材２０の高さｈ２との高さの関係は、ｈ１＞ｈ２となっている。このため、図中に二点鎖線で示している仮想の傾斜面は、Ａ−Ａ端面に比べてＢ−Ｂ端面の方が急斜面となっている。すなわち、下流側の方が溝の深さが深くなっている。
【００２０】
図５は、溝底レベル部材２０の側面形状を示す図である。排水方向の上流側における台座部２０ａからキャップ２０ｃの上部（天端）までの高さをｈ１、下流側における台座部２０ａからキャップ２０ｃの上部までの高さをｈ２として示している。図４と同様に、ｈ１＞ｈ２の関係が成り立つ事より、溝底レベル部材２０の天端は、上流側から下流側にかけてその高さが低くなるように傾斜面が形成されていることがわかる。
【００２１】
上記のような構成の溝両端レベル部材１８と溝底レベル部材２０は、図６に示すような防水層１０、及び断熱層１２の施工を終えた屋上フロアに配置される。図７は、レベル決めを行うために、溝両端レベル部材１８と、溝底レベル部材２０、及び強度保持のための鉄筋２２を配置した状態を示す図である。なお、鉄筋２２は、図示しない支持部により支えられているものとする。以下、屋上フロアに対して、溝両端レベル部材１８を配置する工程、溝底レベル部材２０を配置する工程、及びコンクリート１４を打設する工程について、順を追って説明する。
【００２２】
［溝両端レベル部材の配置工程］
まず、溝両端レベル部材１８を配置する工程では、溝両端レベル部材１８を一対、形成する側溝１６の溝幅に合わせて、側溝１６の形成方向（長手方向）に沿って配置する。溝両端レベル部材１８の高さは、溝両端レベル部材１８の天端部を構成するキャップ１８ｃの上端高さが、屋上のフロアを構成するコンクリート１４の表面の高さに合うように定める。
【００２３】
［溝底レベル部材の配置工程］
次に、溝底レベル部材２０の配置工程では、溝底レベル部材２０を、対を成して配置した溝両端レベル部材１８の間、好ましくは、２つの溝両端レベル部材１８の中心位置に、溝両端レベル部材１８の配置方向に沿って配置する。溝底レベル部材２０は、側溝１６の最低部、すなわち集水部分の高さを決めるレベル部材である。よって、その本体２０ｂの高さは、溝両端レベル部材１８を構成する本体１８ｂの高さよりも低く設定する。これにより、側溝１６の断面形状をＶ字状に形成する事が可能となり、側溝１６に流れ込んだ水を溝底へ集める事が可能となる。
【００２４】
［コンクリート打設工程］
溝両端レベル部材１８と溝底レベル部材２０により、側溝１６を形成する位置や大きさが定められた後、コンクリート１４の打設工程では、図８に示すように、コンクリート１４を打設する。コンクリート１４は、側溝１６とフロア面に対して打設される。側溝１６の形成位置では、溝両端レベル部材１８と溝底レベル部材２０により定められた高さレベルに合わせて、対応するレベル部材間に傾斜面を形成するように打設される。本実施形態に係る側溝１６の場合、図３、図４からも読み取れるように、溝両端レベル部材１８から溝底レベル部材２０に向かう傾斜は、排水側に向かうほど溝が深くなるように打設される。このように、コンクリート１４を打設する工程では、保護コンクリートによるフロア面の打設と同時（一連の作業の中で一緒に行うという工程的な意味）に、側溝１６の形成が成される。
【００２５】
このような屋上側溝の形成工法によれば、集水方向の傾斜面と、集めた水を一定方向に流し込む排水方向の傾斜面の双方を一度に形成する事ができる。
【００２６】
上記実施形態では、資材管理の負担軽減や工事費用の削減を図るために、溝両端レベル部材１８と溝底レベル部材２０とを同一素材により構成する旨記載した。しかしながら、溝両端レベル部材１８と溝底レベル部材２０とに、異なる素材により構成したものを採用したとしても、本発明に係る屋上側溝の形成工法を実施するにあたり、影響を及ぼすものでは無い。
【００２７】
また、上記実施形態では、溝底レベル部材２０についてのみ、天端高さを長手方向で異ならせ、排水方向に向けた傾斜を設ける旨記載した。しかしながら、すみやかな排水の為に、溝両端レベル部材１８についても、同様な傾斜を設けるようにしても良い。
【符号の説明】
【００２８】
１０………防水層、１２………断熱層、１４………コンクリート、１６………側溝、１８………溝両端レベル部材、１８ａ………台座、１８ｂ………本体、１８ｃ………キャップ、１９ａ………のり面，１９ｂ………保護シート２０………溝底レベル部材、２０ａ………台座、２０ｂ………本体、２０ｃ………キャップ、２２………鉄筋。
【図１】
2018096058.tif 000003
【図２】
2018096058.tif 000004
【図３】
2018096058.tif 000005
【図４】
2018096058.tif 000006
【図５】
2018096058.tif 000007
【図６】
2018096058.tif 000008
【図７】
2018096058.tif 000009
【図８】
2018096058.tif 000010